(57)【要約】      （修正有）【課題】４５℃以上のある温度未満の水に溶けないが、前記ある温度以上の水に溶ける紙材、合成樹脂材または天然素材からなる使い捨て排泄物処理具を提供する。【解決手段】基材の全部について、温度が４５℃以上のある温度未満の水に溶けないが、前記ある温度以上の水に溶ける紙材、合成樹脂材または天然素材からなり、または、基材の一部について、温度が４５℃以上のある温度未満の水に溶けないが、前記ある温度以上の水に溶ける紙材、合成樹脂材または天然素材からなり、前記基材の残部について、温度が前記ある温度未満の水に溶ける紙材、合成樹脂材または天然素材からなる使い捨て排泄物処理具。【選択図】図１
2019022539.tif 000002
【特許請求の範囲】
【請求項１】
基材の全部について、温度が４５℃以上のある温度未満の水に溶けないが、前記ある温度以上の水に溶ける紙材、合成樹脂材または天然素材からなり、または、
基材の一部について、温度が４５℃以上のある温度未満の水に溶けないが、前記ある温度以上の水に溶ける紙材、合成樹脂材または天然素材からなり、前記基材の残部について、温度が前記ある温度未満の水に溶ける紙材、合成樹脂材または天然素材からなる使い捨て排泄物処理具。
【請求項２】
請求項１に記載の使い捨て排泄物処理具であって、
使い捨ておむつ、使い捨て生理用ナプキンまたは使い捨て尿漏れパッドである排泄物処理具。
【請求項３】
請求項１または２に記載の使い捨て排泄物処理具であって、
前記合成樹脂が水解性シートを含む使い捨て排泄物処理具。
【請求項４】
請求項１から３の何れか１項に記載の使い捨て排泄物処理具であって、
前記合成樹脂が吸水してジェル化する吸水性ポリマーを含む使い捨て排泄物処理具。
【請求項５】
請求項１から４の何れ１項に記載の使い捨て排泄物処理具であって、
前記基材がバインダにより一体化された複数枚の紙の積層体、またはさらに合成樹脂製水解性シートを含む積層体からなる紙材である使い捨て排泄物処理具。
【請求項６】
請求項１から５の何れか１項に記載の使い捨て排泄物処理具であって、
おむつカバーとともに使用される使い捨て排泄物処理具。
【請求項７】
請求項１から６の何れか１項に記載の使い捨て排泄物処理具であって、
基材について、押圧されて潰された部分が破線状に表れ、表裏に貫通している部分が破線状に表れ、または押圧されて潰された部分と貫通している部分が破線状に混在して表れる排泄物処理具。
【発明の詳細な説明】
【技術分野】
【０００１】
本発明は、４５℃以上のある温度未満の温度の水に溶けないが、前記ある温度以上の温度の水に溶ける材料（紙材、合成樹脂材または天然素材）からなる使い捨て排泄物処理具に関し、具体的には、基材である積層紙を熱プレス成型して製造する排泄物処理具に関する。
【背景技術】
【０００２】
従来、たとえば使い捨ておむつは普通ごみまたは産業廃棄物として焼却処理されるのが通常である。行政にとっても、使い捨ておむつを焼却処理するためには多くのエネルギーが消費され、二酸化炭素の排出量も多くなる。
ところで、使用済みの使い捨ておむつは容積が小さくないために水洗便器に流すことができない。
使い捨ておむつの素材自体を水に溶けやすい材料で構成することも考えられるが、尿によりおむつの素材が溶けてしまうため、この手法を採用することはできない。
一方、使用後の使い捨ておむつを回収し、回転ドラムにより８０−９０℃の高温水に浸漬させて回転させる処理を行い、使用後のおむつを不溶成分と可溶成分とに分離する技術も知られている（特許文献１）。しかし、この処理手法は、付帯設備が大掛かりであり、設備コストが膨大となる。
【先行技術文献】
【特許文献】
【０００３】
【特許文献１】特開２００９−１７２５９９
【発明の概要】
【発明が解決しようとする課題】
【０００４】
ところで、使い捨ておむつを普通ごみとして廃棄する場合を考える。通常、多くの行政区では、普通ごみの回収は一週間に２回程度しか行わない。
その結果、回収されない使用済みのおむつから排泄物の匂いが出るし、さらに使用済みのおむつは蝿の発生の温床ともなるという問題がある。
【０００５】
本発明の目的は、４５℃以上のある温度未満の温度の水に溶けないが、前記ある温度以上の温度の水に溶ける紙材、合成樹脂材または天然素材からなる使い捨て排泄物処理具を提供することである。
【課題を解決するための手段】
【０００６】
本発明は、以下を要旨とする。
（１）
基材の全部について、温度が４５℃（あるいは、５０℃）以上のある温度未満の水に溶けないが、前記ある温度以上の水に溶ける紙材、合成樹脂材または天然素材からなり、または、
基材の一部について、温度が４５℃（あるいは、５０℃）以上のある温度未満の水に溶けないが、前記ある温度以上の水に溶ける紙材、合成樹脂材または天然素材からなり、前記基材の残部について、温度が前記ある温度未満の水に溶ける紙材、合成樹脂材または天然素材からなる使い捨て排泄物処理具。
本発明の排泄物処理具では、前記基材は一枚の紙から構成されている紙材であってもよいし、後述するように複数枚の紙の積層体、または紙に加え更に水解性シート（合成樹脂や有機物シートから構成できる）や水解天然素材シートを含む積層体から構成されている紙材であってもよい。
たとえば、基材の全部が単一の素材からなり、「ある温度」が６０℃である場合を想定する。この排泄物処理具は、６０℃未満では水に溶けないが、６０℃以上に水に溶ける。
一方、たとえば基材が６０℃の水に溶ける部分（上記「基材の一部」）と、２０℃の水に溶ける部分（上記「残部」）により構成される場合を想定する。この排泄物処理具は、６０℃未満では「基材の一部」は水には溶けないが、水の温度が６０℃以上である場合には、この排泄物処理具は水に溶ける。
【０００７】
使い捨ておむつは、パンツタイプであってもよいし、後述するようにおむつカバーと共に使用される矩形シートタイプであってもよい。
本発明の排泄物処理具は、排泄物処理具の構成要素のほとんどを「４５℃以上のある温度未満の温度の水に溶けないが、前記ある温度以上の温度の水に溶ける紙材、合成樹脂材または天然素材」を構成することができる。
なお、本発明の排泄物処理具では、当該構成要素をおむつの基材から分離できるように構成しておくことができる。
【０００８】
本発明では水洗便器の便水を、排泄物処理具を構成する紙材、合成樹脂材または天然素材が溶ける温度（４５℃以上のある温度）とすることができる。この水洗便器を使用することで、使用済みの排泄物処理具を下水等に廃棄することができる。
また、上記温度の水が供給される廃棄専用器を用意しておくことができる。
本発明では、使い捨て排泄物処理具の部分応じて紙厚や紙質を異ならせることができる。
たとえば、使い捨ておむつの場合、中央部（排便がされる部分）については紙厚を厚くし、使い捨ておむつの側部（胴に巻かれる部分）については紙厚を薄くすることができる。
【０００９】
（２）
（１）に記載の使い捨て排泄物処理具であって、
使い捨ておむつ、使い捨て生理用ナプキンまたは使い捨て尿漏れパッドである排泄物処理具。
（３）
（１）または（２）に記載の使い捨て排泄物処理具であって、
前記合成樹脂が水解性シートを含む使い捨て排泄物処理具。
（４）
（１）から（３）の何れか１項に記載の使い捨て排泄物処理具であって、
前記合成樹脂が吸水してジェル化する吸水性ポリマーを含む使い捨て排泄物処理具。
吸水性ポリマーとして、ビーズタイプのものを採用することもできる。
【００１０】
（５）
（１）から（４）の何れ１項に記載の使い捨て排泄物処理具であって、
前記基材がバインダにより一体化された複数枚の紙の積層体、またはさらに合成樹脂製水解性シートを含む積層体からなる紙材である使い捨て排泄物処理具。
複数枚の紙をバインダにより一体化し、本発明の紙材とすることができる。
このバインダとして液体状のものを使用することもできるし、フィルム状のものを使用することができる。
【００１１】
（６）
（１）から（５）の何れか１項に記載の使い捨て排泄物処理具であって、
使い捨て排泄物処理具が使い捨ておむつであって、おむつカバーとともに使用される使い捨て排泄物処理具。
【００１２】
（７）
（１）から（６）の何れか１項に記載の使い捨て排泄物処理具であって、
基材について、押圧されて潰された部分が破線状に表れ、表裏に貫通している部分が破線状に表れ、または押圧されて潰された部分と貫通している部分が破線状に混在して表れる排泄物処理具。
【発明の効果】
【００１３】
基材である積層紙を熱プレス成型することで、４５℃以上のある温度未満の温度の水に溶けないが、前記ある温度以上の温度の水に溶ける使い捨ておむつが提供できる。
吸水性ポリマーを含む使い捨ておむつについても本発明の適用が可能である。
複数枚の紙をバインダにより一体化し、本発明の紙材とすることができる。
おむつカバーに使用する、使い捨ておむつでは、簡単な形状（たとえば四角形）とすることができる。
【図面の簡単な説明】
【００１４】
【図１】図１は本発明の排泄物処理具の第１実施形態を示す説明図である。  図１（Ａ）は紙おむつ（使い捨ておむつ）１の全体を示す斜視図、図１（Ｂ）は紙おむつ１の部分断面図である。
【図２】図２は本発明の排泄物処理具の第２実施形態を示す説明図である。  図２（Ａ）は紙おむつ１の全体を示す斜視図、図２（Ｂ）は紙おむつ１の前部の部分断面図である。
【図３】図３は本発明の排泄物処理具の第３実施形態を示す説明図である。  図３（Ａ）は紙おむつ１の全体を示す斜視図、図３（Ｂ）は紙おむつ１の前部の部分断面図である。
【図４】図４は本発明の排泄物処理具の第４実施形態を示す図である。  図４（Ａ）はおむつカバー２と紙おむつ１を示す図であり、図４（Ｂ）は紙おむつ１の部分断面図である。
【図５】図５は本発明の排泄物処理具に使用される廃棄専用器３を示す図である。
【図６】図６は本発明の排泄物処理具に形成されるいわゆるミシン目の構造を示す図である。図６（Ａ）は、基材について押圧されて潰された部分が破線状に表れる例を示す図、図６（Ｂ）は、基材について表裏に貫通している部分が破線状に表れる例を示す図である。
【図７】図７は本発明の排泄物処理具の第５実施形態を示す図である。図７（Ａ）はミシン目Ｍが形成された紙おむつ１の全体を示す斜視図、図７（Ｂ）はミシン目Ｍが形成された紙おむつ１の前部の部分断面図である。
【図８】図８は本発明の使い捨て生理用ナプキンの実施形態を示す説明図であり、図８（Ａ）は生理用ナプキン５の全体を示す斜視図、図８（Ｂ）は生理用ナプキン５の部分断面図である。
【図９】図９は本発明の使い捨て尿漏れパッド（男性用）の実施形態を示す説明図であり、図９（Ａ）は尿漏れパッド６の全体を示す斜視図、図９（Ｂ）は生尿漏れパッド６の部分断面図である。
【発明を実施するための最良の形態】
【００１５】
図１は本発明の使い捨て排泄物処理具の第１実施形態を示す説明図であり、図１（Ａ）は使い捨ておむつ（以下、「紙おむつ」と言う）１の全体を示す斜視図、図１（Ｂ）は紙おむつ１の部分断面図である。
図１（Ａ）において、紙おむつ１は基材１１とファスナ部１２とから構成されている。
基材１１は水に溶ける材料からなる紙材であり、当該紙材は一枚の不織布から構成されていてもよいが、次に述べるように、複数の紙を積層して構成してもよい。
すなわち、本実施形態では、基材１１は図１（Ｂ）に示すように５枚の紙１１１，１１２，１１３，１１４，１１５が積層された紙材であり、各紙にはバインダが浸み込ませてあり、基材全体は熱プレスにより立体成型されている。
本実施形態では、基材１１は、Ｔ１℃（４５℃≦Ｔ１℃≦１００℃のある温度）未満の温度では水に溶けず、かつＴ１℃以上で水に溶ける紙材が使用されている。
ファスナ部１２は、Ｔ２℃（４５℃≦Ｔ２℃≦１００℃のある温度）未満の温度では水に溶けず、かつＴ２℃（この場合にはＴ１＜Ｔ２とする）以上で水に溶ける紙材が使用されている。
Ｔ１，Ｔ２のうち高い値（この場合にはＴ２、すなわちＴ１＜Ｔ２）以上の水で、使用済みの紙おむつ１を処理する（たとえば、紙おむつ１をＴ２℃以上の水に浸漬する）ことで、当該使用済みの紙おむつ１を水洗便器に流すことができる。
【００１６】
図２は本発明の紙おむつの第３実施形態を示す説明図であり、図２（Ａ）は紙おむつ１の全体を示す斜視図、図２（Ｂ）は紙おむつ１の前部の部分断面図である。
本実施形態では、基材１１は、５枚の紙の紙間にバインダとして機能をもつ４枚の温水溶解フィルム１１６，１１７，１１８，１１９が介在して構成されている。
この温水溶解フィルムは、Ｔ１’℃（４５℃≦Ｔ１’℃≦１００℃のある温度）未満の温度では水に溶けず、かつＴ１’℃以上で水に溶ける材料により構成されている。
【００１７】
図３は本発明の紙おむつの第２実施形態を示す説明図であり、図３（Ａ）は紙おむつ１の全体を示す斜視図、図３（Ｂ）は紙おむつ１の前部の部分断面図である。
図３（Ａ）において、紙おむつ１は基材１１とファスナ部１２と吸水部１３から構成されている。
基材１１およびファスナ部１２は第１実施形態の基材１１およびファスナ部１２と同じである。
吸水部１３は合成樹脂である吸水性ポリマーから構成されている。吸水部１３は、吸水してジェル化する。
吸水部１３を構成する吸水性ポリマーは、Ｔ３℃（４５℃≦Ｔ３℃≦１００℃のある温度）未満の温度で水に溶けないが、Ｔ３℃以上で水に溶ける特性を持つ。
本実施形態では、吸水性ポリマーとして、ビーズタイプのものが採用されている。
Ｔ１，Ｔ２，Ｔ３のうち高い値（この場合にはＴ３、すなわちＴ１＜Ｔ２＜Ｔ３）以上の水で、使用済みの紙おむつ１を処理する（たとえば、紙おむつ１をＴ３℃以上の水に浸漬する）ことで、当該使用済みの紙おむつ１を水洗便器に流すことができる。
【００１８】
図４は本発明の紙おむつの第４実施形態を示す図であり、図４（Ａ）はおむつカバー２と紙おむつ１を示す図であり、図４（Ｂ）は紙おむつ１の部分断面図である。
図４（Ａ）において、おむつカバー２は廃棄されることなく恒久的に使用される。
図４（Ａ）において、紙おむつ１は矩形の基材１１から構成されており、ファスナが設けられてはいないし、吸水部も設けられていない。
矩形の基材１１は、第１実施形態の基材１１と同様、図４（Ｂ）に示すように５枚の紙が積層されてものであり、各紙にはバインダが浸み込ませてあり、基材全体は熱プレスにより立体成型されている。なお、第２実施形態で説明したように基材１１は、５枚の紙の紙間にバインダとして機能をもつ４枚の温水溶解フィルムが介在して構成することもできる。
なお、図示はしないが、基材１１を紙と合成樹脂製水解紙との積層体とすることもできる。
【００１９】
図５は本発明の紙おむつに使用される廃棄専用器３を示す図である。
廃棄専用器３には、所定温度（９９℃以下）の水（湯）が蓄えられ、下水に廃水できるように構成されている。
【００２０】
図６は本発明の排泄物処理具に形成されるいわゆるミシン目Ｍの構造を示す図である。図６（Ａ）は、基材について押圧されて潰された部分が破線状に表れる例を示す図、図６（Ｂ）は、基材について表裏に貫通している部分が破線状に表れる例を示す図である。
なお、図示はしないが押圧されて潰された部分と貫通している部分が破線状に混在して表れるようにもできる。
図６（Ａ）のミシン目（破線状の押圧されて潰された部分）は基材を頑丈にできるし、図６（Ｂ）のミシン目（破線状の表裏に貫通している部分）は水に解けやすくする作用を有する。
【００２１】
図７は本発明の排泄物処理具の第５実施形態を示す図である。図７（Ａ）はミシン目Ｍが形成された紙おむつ１の全体を示す斜視図、図７（Ｂ）はミシン目Ｍが形成された紙おむつ１の前部の部分断面図である。
このミシン目Ｍは、押圧力が大きい部分が破線状に表れるものでもよいし、貫通している部分が破線状に表れるものでもよい。
【００２２】
図８は本発明の排泄物処理具の第５実施形態（使い捨て生理用ナプキンの実施形態）を示す説明図であり、図８（Ａ）は生理用ナプキン５の全体を示す斜視図、図８（Ｂ）は生理用ナプキン５の部分断面図である。
図８（Ａ）の生理用ナプキン５の基材５１には、図７に示したと同様のミシン目Ｍが形成されている。
図８（B）に示すように、水に溶ける材料からなる不織布（紙材）５１１と水解性シート５１２との積層体であり、当該紙材は一枚の不織布から構成されていてもよいが、複数の紙を積層して構成してもよい。
本実施形態では、基材５１は、Ｔ１℃（４５℃≦Ｔ１℃≦１００℃のある温度）未満の温度では水に溶けず、かつＴ１℃以上で水に溶ける紙材が使用されている。
【００２３】
図９は本発明の使い捨て尿漏れパッド（男性用）の実施形態を示す説明図であり、図９（Ａ）は尿漏れパッド６の全体を示す斜視図、図９（Ｂ）は生尿漏れパッド６の部分断面図である。
図９（Ａ）の尿漏れパッド６の基材６１には、図７に示したと同様のミシン目Ｍが形成されている。
図９（B）に示すように、基材６１は水に溶ける材料からなる不織布（紙材）６１１と水解性シート６１２との積層体である。。
本実施形態では、基材６１は、Ｔ１℃（４５℃≦Ｔ１℃≦１００℃のある温度）未満の温度では水に溶けず、かつＴ１℃以上で水に溶ける紙材が使用されている。
【符号の説明】
【００２４】
１  紙おむつ
１１  基材
１２  ファスナ部
１３  吸水部
２  おむつカバー
３  廃棄専用器
４  熱プレス機
４１  上定盤
４２  下定盤
４１１  上型
４１２  下型
５  生理用ナプキン５
５１  基材
５１１  不織布（紙材）
５１２  水解性シート
６  尿漏れパッド
６１  基材
６１１  不織布（紙材）
Ｔ１  基材１が水に溶ける温度（４５℃≦Ｔ１℃≦１００℃のある温度）
Ｔ２  ファスナ部１２が水に溶ける温度（４５℃≦Ｔ２℃≦１００℃のある温度）
Ｔ３  吸水部１３（吸水性ポリマー）が水に溶ける温度（４５℃≦Ｔ３℃≦１００℃のある温度）
【図１】
2019022539.tif 000003
【図２】
2019022539.tif 000004
【図３】
2019022539.tif 000005
【図４】
2019022539.tif 000006
【図５】
2019022539.tif 000007
【図６】
2019022539.tif 000008
【図７】
2019022539.tif 000009
【図８】
2019022539.tif 000010
【図９】
2019022539.tif 000011